(57)【要約】空気清浄器がより目立たなくなることを可能にする寸法を有する空気清浄器（１００）が、開示される。空気清浄器（１００）はまた、この空気清浄器が配置され得る特定の環境をこの空気清浄器が模倣することを可能にする構成要素を備える。さらに、この空気清浄器は、従来の壁のコンセントにこの空気清浄器が差し込まれ得るように電気プラグを備え、そしてこの空気清浄器が、壁のコンセントの外観および機能を模倣することを可能にする構成要素を備える。さらに、この空気清浄器は、入ってくる空気を衛生的にするため（１１０）、空気清浄器を通る空気の流れを容易にするため、および／または香りを付けた蒸気を分配するため（１３０）の、１つ以上のモジュールを備える。
2008509797.tif 000002
【特許請求の範囲】
【請求項１】
電気コンセントを模倣するように構成された空気清浄器であって、該電気コンセントは、第一の電気差込口を備える第一の電気差込口パターンを有し、該空気清浄器は、
ハウジングであって、該ハウジングは、
第二の電気差込口パターンを有する前表面であって、該第二の電気パターンは、第二の電気差込口を備え、該第二の電気パターンは、該第一の電気差込口パターンに実質的に対応する、前表面；および
プラグパターンを備える後表面であって、該プラグパターンは、少なくとも１つのプラグを備える、後表面、
を備える、ハウジング；ならびに
該前表面と該後表面との間に介在するデバイスであって、該デバイスは、
空気を取り込み、そして
空気を清浄化し、そして
該清浄化された空気を排出する、
ように構成されている、デバイス、
を備える、空気清浄器。
【請求項２】
前記デバイスが、
空気取り込み口；
該空気取り込み口と連絡している空気衛生化モジュールであって、該空気衛生化モジュールが、該空気取り込み口からの空気を清浄化するように構成されている、空気衛生化モジュール；および
該空気衛生化モジュールと連絡している空気排出口であって、該空気排出口は、該清浄化された空気を排出するように構成されている、空気排出口、
を備える、請求項１に記載の空気清浄器。
【請求項３】
前記デバイスが、
前記空気取り込み口、前記空気衛生化モジュール、および前記空気排出口と連絡している、空気流れモジュールであって、該空気流れモジュールは、該空気取り込み口から該空気衛生化モジュールへの前記空気の移動、および該空気衛生化モジュールから該空気排出口への前記清浄化された空気の移動を容易にするように構成されている、空気流れモジュール、
をさらに備える、請求項２に記載の空気清浄器。
【請求項４】
前記空気流れモジュールが、ファン、マイクロファン、かご型ファン、横流ファン、イオン化デバイス、およびポンプのうちの１つである、請求項３に記載の空気清浄器。
【請求項５】
前記空気衛生化モジュールが、微生物、アレルゲン、および悪臭のうちの１つの存在を突き止めるように構成されている、請求項２に記載の空気清浄器。
【請求項６】
前記空気衛生化モジュールが、フィルタ、化学吸着材料、紫外線デバイス、オゾン化デバイス、およびイオン化空気衛生化デバイスのうちの１つを備える、請求項５に記載の空気清浄器。
【請求項７】
前記デバイスが、前記空気衛生化モジュールを横切って前記空気を等しく分配するように構成されている、請求項２に記載の空気清浄器。
【請求項８】
前記デバイスが、さらに、
前記空気流れモジュールと連絡している蒸気分配モジュールであって、該蒸気分配モジュールが、前記空気および前記清浄化された空気のうちの１つに香気を追加するように構成されている、蒸気分配モジュール、
を備える、請求項３に記載の空気清浄器。
【請求項９】
前記蒸気分配モジュールが、
揮発性物質を貯蔵するように構成されたレザバ；ならびに
該レザバと連絡している、灯心、エミネータパッド、加熱要素、および毛管のうちの１つ、
を備える、請求項８に記載の空気清浄器。
【請求項１０】
前記蒸気分配モジュールおよび前記空気衛生化モジュールが、前記空気清浄器の補充部分を構成している、請求項８に記載の空気清浄器。
【請求項１１】
前記ハウジングが、前記電気コンセントの面に対して垂直な回転軸を備える、請求項１に記載の空気清浄器。
【請求項１２】
前記ハウジングが、ある範囲の回転角度内で回転するように構成されている、請求項１１に記載の空気清浄器。
【請求項１３】
前記範囲が、約２７０°である、請求項１２に記載の空気清浄器。
【請求項１４】
前記回転軸が、前記第一の電気差込口の実質的な中心を通っている、請求項１１に記載の空気清浄器。
【請求項１５】
前記第一の電気パターンが、第三の電気差込口をさらに備え、そして前記ハウジングが、曲率半径を有する縁部プロフィールをさらに備え、該ハウジングは、前記第一の電気差込口の前記実質的な中心から該縁部プロフィールまでの第一の距離が、該第一の電気差込口の該実質的な中心から該第三の電気差込口の該第一の電気差込口の該実質的な中心に最も近い地点までの距離よりも短くなるように構成されている、請求項１４に記載の空気清浄器。
【請求項１６】
前記縁部プロフィールが、約３ｃｍ〜約７ｃｍの範囲の曲率半径を含む、請求項１５に記載の空気清浄器。
【請求項１７】
空気清浄器であって、
前表面を備えるハウジングであって、該前表面は、電気プラグ差込口を備え、該電気プラグ差込口は、該空気清浄器の後表面から延びる電気プラグに連結される、ハウジング；および
該ハウジングの実質的に内部に収容されている空気衛生化モジュールであって、該空気衛生化モジュールは、空気を少なくとも部分的に清浄化するように構成されている、空気衛生化モジュール、
を備え、該ハウジングは、該電気プラグが電気コンセントに取り付けられる場合に、該電気差込口および電気プラグの周りで回転するように構成されている、空気清浄器。
【請求項１８】
前記ハウジングの実質的に内部に収容されている空気流れモジュールであって、該空気流れモジュールは、前記空気清浄器内への前記空気の移動、該空気清浄器内での該空気の移動、および該空気清浄器からの該空気の移動のうちの少なくとも１つを容易にするように構成されている、空気流れモジュール、
をさらに備える、請求項１７に記載の空気清浄器。
【請求項１９】
前記空気流れモジュールと連絡している蒸気分配モジュールであって、該蒸気分配モジュールは、前記空気に香気を追加するように構成されている、蒸気分配モジュール、
をさらに備える、請求項１８に記載の空気清浄器。
【請求項２０】
前記電気差込口および前記電気プラグが、各々静止するように構成されている、請求項１７に記載の空気清浄器。
【発明の詳細な説明】
【技術分野】
【０００１】
（発明の分野）
本発明は、一般に、空気清浄化デバイスに関し、そして特に、例えば、従来の家庭用電力コンセントに差し込むように構成された、低プロフィールの空気清浄器に関する。
【背景技術】
【０００２】
（発明の背景）
近年、生活空間の空気または「空気の健康」の質を改善することが、次第に重要視されている。このことによって、次に、個人の家庭において使用するための、消費者用の空気清浄化システムに、次第に人気が出ている。利用可能な差込口（例えば、従来の家庭用電気コンセント）を、ある種の環境変更作業を実施するように構成されたシステムのための電力の供給源として使用することは、しばしば便利である。従来の壁のコンセントの位置および接近可能性、ならびに公知のデバイスの大きさおよび形状に起因して、このようなデバイスは、壁のコンセントに差し込まれる場合に比較的人目に付くのが、通常である。
【０００３】
いくつかの例において、蒸気分配デバイスおよび／または空気清浄器が、それらの環境と一体化するかまたは調和する程度を、増強することが望ましい。目立たなさのレベルは、一般に、デバイスの全体的な幾何学的形状、ならびにこのデバイスが、接続される壁および／または差込口に接触する様式に関連する。さらに、環境を変更する装置に、増強された機能的な目立たなさを提供することが有利である場合が存在する。従って、差込口の機能的特長への使用者の接近を排除もせず、減少もさせず、他の様式で変更もしない、蒸気分配デバイスおよび空気清浄器が必要とされている。
【発明の開示】
【課題を解決するための手段】
【０００４】
（発明の要旨）
一般に、本発明は、空気清浄化デバイスを提供し、このデバイスは、低プロフィールであるか、小型であるか、または目立たない様式でその環境と一体化するように構成されている。一般に、このデバイスは、空気衛生化モジュールおよび任意の空気流れモジュールを備える。さらなる実施形態によれば、この空気清浄化デバイスは、清浄化された空気に１種以上の香気を追加するように構成された、蒸気分配モジュールを備える。
【０００５】
このデバイスは、この目立たなさを、多数の様式で達成し得る。これらの様式は、例えば、環境の１つ以上の構成要素（例えば、壁のコンセントまたは他の表面）と調和すること、差込口の全てもしくは一部を覆うかもしくは他の様式で閉塞すること、および／または環境を変更するデバイス以外のものに見えることによる。
【０００６】
本発明の種々の例示的な実施形態による、電気コンセントを模倣するように構成された低プロフィールの空気清浄器は、ハウジングおよびデバイスを備え、このハウジングは、電気コンセントの電気差込口と実質的に類似の電気差込口パターンを有する前表面と、少なくとも１つのプラグを有するプラグパターンを備える後表面とを有し、そしてこのデバイスは、この前表面とこの後表面との間に介在している。１つの実施形態において、このデバイスは、空気を取り込み、この空気を清浄化し、そしてこの清浄化された空気を排出するように、構成される。
【０００７】
本発明の主題は、本明細書中以下で、添付の図面と組み合わせて記載される。図面において、同じ番号は、同じ要素を表す。
【発明を実施するための最良の形態】
【０００８】
（発明の詳細な説明）
本発明の例示的な実施形態の詳細な説明は、ここで、添付の図を参照してなされ、これらの図は、例として、例示的な実施形態を示す。これらの例示的な実施形態は、当業者が本発明を実施することが可能であるために十分に詳細に記載されるが、他の実施形態が実現可能であること、ならびに本発明の精神および範囲から逸脱することなく変更がなされ得ることが、理解されるべきである。従って、本明細書の詳細な説明は、例示のみの目的で提供されるのであり、限定として提示されるのではない。
【０００９】
簡潔さを目的として、装置およびシステム（ならびにこのシステムの個々の作動構成要素の構成要素）の機能的実施形態は、本明細書中に詳細には記載されないかもしれない。さらに、本明細書に含まれる種々の図に示される接続線は、種々の要素間での例示的な機能的関係および／または物理的接続を表すことが意図される。多くの代替的または追加的な機能的関係または物理的接続が、実際のシステムにおいて存在し得ることが、留意されるべきである。
【００１０】
本発明の種々の実施形態によるシステムおよび方法は、一般に、目立たない様式で環境に一体化するように構成されている、低プロフィールの空気清浄器を提供する。例えば、空気清浄器は、差込口の全てまたは一部を覆うかまたは他の様式で閉塞することによって、そして／あるいは空気清浄器以外のもの（例えば、電気コンセント）に見えることによって、環境の１つ以上の構成要素と調和し得る。さらに、この空気清浄器は、この空気清浄器が目立たなくなることを可能にする寸法（例えば、長さ、幅、直径、厚さ、形状など）を備え得る。換言すれば、異なる寸法を有する空気清浄器より目立たない。
【００１１】
ここで図面を参照すると、図１Ａは、本発明による空気清浄器１００の１つの例示的な実施形態のブロック図である。空気清浄器１００は、空気取り込み口１０５、空気衛生化モジュール１１０、および空気排出口１１５を備える。図１Ｂは、空気衛生化モジュール１１０と連絡する空気流れモジュール１２０をさらに備える、空気清浄器１００のブロック図であり、空気流れモジュール１２０は、空気取り込み口１０５から空気衛生化モジュール１１０を通り、そして最終的に空気排出口１１５へと至る、空気の移動を押すか、引くか、または他の様式で容易にするように構成される。図１Ｃは、空気清浄器１００のなお別の実施形態を図示するブロック図であり、空気清浄器１００は、蒸気分配モジュール１３０をさらに備え、この蒸気分配モジュールは、１種以上の香気を、空気流れモジュール１２０および／または空気衛生化モジュール１１０からの空気に追加するように構成される。換言すれば、空気清浄器１００は、空気排出口１１５が香気を付けられるように働き得、そしてまた、香気付けおよび／または清浄化の相対的な程度を調節するように構成された、１つ以上の制御器を備え得る。
【００１２】
空気衛生化モジュール１１０は、種々の実施形態において、入ってくる空気を洗浄するか、清浄化するか、濾過するか、衛生化するか、または他の様式で処理して、よりきれいな空気を排出物として生じるように適切に構成される、任意のデバイス、構成要素、または構成要素の組み合わせを備え得る。この点に関して、空気衛生化モジュール１１０は、種々の環境において発生する、微生物（例えば、細菌、ウイルスなど）、アレルゲン（例えば、胞子、危険物質、糸くず、埃、スモッグ、カビなど）、および／または悪臭（化学物質の臭気、微生物の臭気など）の存在を突き止めるように、構成され得る。特に、用語環境とは、本明細書中で使用される場合、開放されていようと、１つ以上の表面、壁、天井、床、または他の固体もしくは架空の境界によって囲まれていようと、任意の規定された空間に対応する。例えば、環境は、居住部屋（例えば、寝室、浴室、台所など）、商業空間（例えば、工場の床、事務所の小部屋など）、自動車の囲み（例えば、車、トラック、レジャーカーなど）、航空機の区画、または清浄化および／もしくは香気付けされた空気を送達することが望ましい他の任意の空間に対応し得る。
【００１３】
空気流れモジュール１２０は、空気清浄器１００の内部および／または空気清浄器を通る空気を移動させるために適切に構成された、任意のデバイス、構成要素、または構成要素の組み合わせを備え得る。この点に関して、空気流れモジュール１２０は、空気を空気清浄器１００の内部および／または空気清浄器１００を通して流し得ることが既知であるか、またはそのように後に開発される、任意のデバイスを備え得る。
【００１４】
蒸気分配モジュール１３０は、空気清浄器１００によって排出される空気に、香気、香り、または他の蒸気（例えば、殺虫剤）を添加するために適切に構成された、任意のデバイス、構成要素、または構成要素の組み合わせを備え得る。特に、本発明は、空気清浄器１００が、当該分野において現在公知であるかまたは後に開発される、任意の適切な蒸気分配技術またはデバイスを備え得ることを企図する。
【００１５】
本発明の種々の例示的な実施形態による空気清浄器は、この空気清浄器がより目立たなくなることを可能にする構成要素を備える。例えば、図２は、低プロフィールのハウジング２０２を備える空気清浄器２００を図示し、このハウジングは、空気清浄器を形成する際に使用するために適切な、任意の材料から形成され得る。ハウジング２０２のための適切な材料の例としては、プラスチック、金属、セラミック、セメントなどが挙げられるが、これらに限定されない。さらに、ハウジング２０２は、比較的小さい幅、高さ、深さなどを備え得、その結果、ハウジング２０２は、ハウジング２０２がより大きい寸法を含む場合よりも目立たない。例えば、ハウジング２０２は、約６ｃｍ〜約１４ｃｍの範囲の幅、約１０ｃｍ〜約２０ｃｍの範囲の高さ、および約２ｃｍ〜約７ｃｍの範囲（好ましくは、５ｃｍであり、そして最も好ましくは、３ｃｍ）の深さ（厚さ）を備え得る。
【００１６】
本発明の１つの実施形態によれば、空気清浄器２００は、空気取り込み口２０５を備える。空気取り込み口２０５は、空気２０７が空気清浄器２００内に移動することを可能にし得る、当該分野において公知であるか、または将来開発される、任意のデバイス、構成要素、または構成要素の組み合わせであり得る。本発明の１つの例示的な実施形態において、空気取り込み口２０５は、空気２０７が空気清浄器２００に流入することを可能にするための、１つ以上の通気口および／または他の開口部を備える。
【００１７】
空気清浄器２００は、別の例示的な実施形態において、上で議論された空気流れモジュール１２０と類似の空気流れモジュール２２０を備える。本発明の１つの局面によれば、空気流れモジュール２１０は、空気２０７を空気取り込み口２０５に流入させ、そして空気２０７を空気衛生化モジュール２１０（以下で議論される）の少なくとも一部を通るかまたは横切って移動させるように構成された、ファンを備える。本発明の種々の局面によれば、このファンは、ＡＣマイクロファンもしくはＤＣマイクロファン、かご型ファン、横流ファンなどであり得る。別の例示的な実施形態において、空気流れモジュール２２０は、電場を介して空気清浄器１００を通る、能動的空気流れを作製するように構成された、イオン化技術を備える。なお別の例示的な実施形態において、空気流れモジュール２２０は、空気２０７を空気清浄器２００に通して流すために適切に構成された、ポンプを備える。特に、本発明は、空気流れモジュール２２０が、当該分野において公知であるかまたは将来開発される、任意の適切な能動空気流れ技術またはデバイスを組み込み得ることを企図する。
【００１８】
空気衛生化モジュール２１０は、望ましくない粒子および／または微粒子がこのモジュールを通過することを実質的に防止するように構成された、任意のデバイス、構成要素、または構成要素の組み合わせであり得る。換言すれば、空気衛生化モジュール２１０は、空気２０７がこのモジュールを通過する際に、空気２０７の少なくとも一部を清浄化する、任意のデバイスであり得る。１つの例示的な実施形態において、空気衛生化モジュール２１０は、入ってくる空気２０７を清浄化するための、１つ以上のフィルタを備える。本発明の１つの例示的な実施形態の１つの局面によれば、このフィルタは、繊維フィルタ（例えば、無菌空気作製用（ＨＥＰＡ）フィルタ）であり得る。本発明の別の局面において、このフィルタは、Ｓｔ．Ｐａｕｌ，Ｍｉｎｎｅｓｏｔａの３Ｍ  Ｃｏｒｐｏｒａｔｉｏｎによって製造されるＦｉｌｔｒｅｔｅフィルタであり得る。
【００１９】
別の例示的な実施形態によれば、空気衛生化モジュール２１０は、空気２０７を清浄化するための、１種以上の化学吸着剤を備える。化学吸着剤の例としては、炭素；重曹；抗微生物型空気衛生化器、化学反応型空気衛生化器などが挙げられるが、これらに限定されない。なお別の例示的な実施形態において、空気衛生化モジュール２１０は、空気２０７を清浄化するための、紫外線、オゾン化、および／またはイオン化空気清浄化技術を備える。特に、本発明は、空気衛生化モジュール２１０が、当該分野において公知であるか、または将来開発される、空気２０７を清浄化するための任意の技術、プロセス、デバイス、および／または構成要素を組み込み得ることを企図する。
【００２０】
別の例示的な実施形態において、空気清浄器２００は、空気排出口２１５を備える。１つの例示的な実施形態の１つの局面によれば、空気排出口２１５は、清浄化された空気２１８を空気清浄器２００を囲む環境へと排出するために適切に構成された、１つ以上の通気口および／または開口部を備える。
【００２１】
空気清浄器２００は、１つの例示的な実施形態において、１つ以上のプラグ差込口２０６を備えるコンセントパターンを備え、これらの差込口は、外部電気デバイス（図示せず）から１つ以上の電気コネクタを受けるために適切に構成されている。プラグ差込口２０６は、電気プラグを挿入させ得、そしてこのプラグに接続されたデバイスに電流を提供し得る、当該分野において公知の任意のプラグ差込口であり得る。従って、プラグ差込口２０６は、例えば、壁のコンセントまたはパワーストリップ（ｐｏｗｅｒ  ｓｔｒｉｐ）に見られる、標準的なプラグ差込口と同様に機能するように、構成され得る。従って、プラグ差込口２０６はまた、標準的なコンセントを模倣（すなわち、外観が類似）するように機能し得、その結果、空気清浄器２００は、空気清浄デバイスであると見破られにくい。本発明の別の実施形態において、プラグ差込口２０６は、機能的ではなく、単に、上で議論された実施形態と同様に、標準的なコンセントを模倣するように構成される。特に、空気清浄器２００は、空気２０７を清浄化するために適切な任意の形状および／または寸法を備え得る。しかし、空気清浄器２００が標準的な壁コンセント、パワーストリップの二重または四重のものを模倣することを望む実施形態は、これらのコンセントについて充分に認容された寸法（例えば、高さ、幅、深さなど）／形状（例えば、矩形、正方形など）と類似の寸法および／または形状、ならびに／あるいは他の様式で注目されにくい寸法／形状を備えるべきである。
【００２２】
作動の際に、空気流れモジュール２２０は、空気２０７を空気清浄器２００に、空気取り込み口２０５を介して入らせる。次いで、空気流れモジュール２２０は、空気２０７に、空気衛生化モジュール２１０を通り過ぎさせ、横切らせ、そして／または通過させ、この衛生化モジュールにおいて、空気２０７中の不純物が、空気衛生化モジュール２１０内に捕捉され、清浄化された空気２１８を生じる。空気流れモジュール２２０は、清浄化された空気２１８を、空気排出口２１５を通って周囲の環境へと、空気清浄器２００を出るようにする。
【００２３】
低プロフィールの空気清浄器の別の実施形態は、この空気清浄器を通る空気の流れを容易にするための通気口を備える。例えば、図３は、図２を参照して上で議論された、ハウジング２０５、空気２０７のための空気取り込み口２０５、プラグ差込口２０６、清浄化された空気２１８のための空気排出口２１５、および空気衛生化モジュール２１０とそれぞれ類似の、ハウジング３０２、１つ以上のプラグ差込口３０６、清浄化された空気３１８のための空気排出口３１５、および空気清浄化モジュール（図示せず）を備える、空気清浄器３００を図示する。本発明の１つの例示的な実施形態によれば、空気取り込み口３０５を備えるカバー３５０が、空気清浄器３００の一部として備えられ、ここで、空気取り込み口３０５は、空気３０７が空気清浄器３００に入ることを可能にするための通気口を備える。
【００２４】
本発明のなお別の実施形態において、空気清浄器は、この空気清浄器を囲む環境に香り付けされた蒸気および／または香気を付けられた蒸気を追加するための、蒸気分配モジュールを備える。図４に図示されるように、空気清浄器４００は、図２を参照して上で議論された、ハウジング２０５、空気流れモジュール２２０、プラグ差込口２０６、清浄化された空気２１８のための空気排出口２１５、および空気衛生化モジュール２１０とそれぞれ類似の、ハウジング４０５、空気流れモジュール４２０、１つ以上のプラグ差込口４０６、清浄化された空気４１８のための空気排出口４１５、および空気清浄化モジュール（図示せず）を備える。
【００２５】
１つの例示的な実施形態によれば、空気清浄器４００は、図１Ｃを参照して上で議論された蒸気分配モジュール１３０と類似の、蒸気分配モジュール４３０を備える。１つの例示的な実施形態の１つの局面によれば、蒸気分配モジュール４３０は、揮発性物質（例えば、油、ゲルなど）を貯蔵するためのレザバ４３３（または他の形態の空気添加区画）、および１つ以上の灯心４３８（または以下に議論されるような、この灯心に関連するエミネータパッド（ｅｍｉｎａｔｏｒ  ｐａｄ））を備える。さらに、蒸気分配モジュール４３０の種々の実施形態は、使用終了の指標（図示せず）を備え、使用者に、レザバ４３３に実質的に揮発性物質がないこと、または低レベルの揮発性物質を含むことを警告し得る。１つの例示的な実施形態の局面によれば、使用終了の指標は、視覚的指標（例えば、光）および／または可聴の指標（例えば、スピーカーを通して発せられる連続的もしくは断続的なノイズ）であり得る。
【００２６】
空気清浄器４００の１つの実施形態の作動において、空気流れモジュール４２０は、空気４０７が空気衛生化モジュールによって清浄化される前に香気を付けられるように、空気４０７を、灯心４３８に通すか、灯心４３８の周囲でか、または灯心４３８を横切るように移動させるように構成される。この実施形態において、空気衛生化器は、空気４０７に追加されるいずれの香気をも実質的に濾別しない様式で、構成される。空気清浄器４００の別の実施形態の作動において、空気流れモジュール４２０は、清浄化された空気４１８が空気衛生化モジュールによって清浄化された後に香気を含むように、清浄化された空気４１８を、灯心４３８に通すか、灯心４３８の周囲でか、または灯心４３８を横切るように移動させるように構成されて、その結果、香気が付いた清浄化された空気が、空気排出口４１８によって排出される。空気清浄器４００のなお別の実施形態の作動において、空気流れモジュール４２０は、空気４０７が空気衛生化モジュールによって清浄化される前に香気を付けられるように、空気４０７を、灯心４３８に通すか、灯心４３８の周囲でか、または灯心４３８を横切るように移動させるように構成されており、そしてこの空気流れモジュール４２０は、清浄化された、香気が付いた空気を、空気衛生化モジュールによって清浄化された後に、灯心４３８に通すか、灯心４３８の周囲でか、または灯心４３８を横切るように移動させるように構成される。
【００２７】
空気清浄器の１つの実施形態の蒸気分配モジュールによって分配される蒸気の量は、制御器を利用して制御され得る。空気清浄器５００は、図５に示されるように、図３に関して上で議論された、ハウジング３０５、プラグ差込口３０６、清浄化された空気３１８のための空気排出口３１５、空気衛生化モジュール、および取り込み口３０５を提供するカバー３５０とそれぞれ類似の、ハウジング５０２、１つ以上のプラグ差込口５０６、清浄化された空気５１８のための空気排出口５１５、空気衛生化モジュール（図示せず）、および空気取り込み口５０５を提供するカバー５５０を備える。さらに、空気清浄器５００は、図１および図４に関して上で議論された、蒸気分配デバイス１３０および４３０（レザバ４３３および灯心４３８を備える）とそれぞれ類似の、レザバ、灯心（またはエミネータ）および／または使用終了指標を備える蒸気分配モジュール（図示せず）を備える。
【００２８】
１つの例示的な実施形態において、空気清浄器５００はまた、蒸気分配デバイスと連絡する制御レバー５７５を備える。制御レバー５７５は、添加剤、芳香剤および／または他の蒸気が、空気５０７および／または清浄化された空気５１８に導入される速度を制御し得る、任意のデバイス、構成要素、または構成要素の組み合わせであり得る。従って、制御レバー５７５は、当該分野において公知であるかまたは将来開発される、任意の制御器であり得る。本発明の１つの例示的な実施形態の１つの局面によれば、レバー制御器５７５は、スライド式レバーである。
【００２９】
空気清浄器５００は、別の例示的な実施形態において、レザバと連絡する使用済み指標５８０を備える。使用済み指標５８０は、レザバ内に残っている蒸気放出物質（例えば、油、水、ゲルベースの材料など）の量を表示するために適切に構成された、任意のデバイス、構成要素、または構成要素の組み合わせであり得る。
【００３０】
低プロフィールの空気清浄器６００の実施形態は、図６に示されるように、図２〜図５を参照して上で議論された実施形態と類似の、ハウジング６０２、１つ以上のプラグ差込口６０６、および清浄化された空気６１８のための空気排出口６１５を備える。空気清浄器６００は、１つの例示的な実施形態において、上で議論された空気取り込み口および空気衛生化器と類似の、空気取り込み口６０５および空気衛生化モジュール６１０を備える。空気取り込み口６０５は、本発明の１つの局面によれば、通気口および開口部を備え、空気６０７が空気清浄器６００に入ることを可能にする。本発明の別の局面において、空気衛生化モジュール６１０は、フィルタである。この様式で、空気取り込み口６０５および空気衛生化モジュール６１０は、空気６０７が空気取り込み口６０５を通過し、空気６０７中の不純物が濾別されるように、組み合わせられる。
【００３１】
別の例示的な実施形態において、空気清浄器６００は、図４に関して上で議論されたレザバ４３３および灯心４３８と類似のレザバ６３３および灯心６３８から形成される、蒸気分配モジュールを備える。本発明の１つの例示的な実施形態の１つの局面によれば、レザバ４３３および／または灯心４３８は、空気清浄器６００の取り外し可能な補充部分であるように構成され得る。特に、本発明は、空気清浄器６００がまた、ファンまたは他の空気流れモジュール（図示せず）を備えて、空気６０７または清浄化された空気６１８の、空気清浄器６００内への移動、空気清浄器６００内での移動、および／または空気清浄器６００からの移動を容易にし得ることを企図する。
【００３２】
本発明の別の実施形態は、電気コンセントに対して垂直な軸に対して回転し得る、低プロフィールの空気清浄器を包含する。例えば、図７Ａにおいて、上で議論された実施形態と類似のハウジング７０２、１つ以上のプラグ差込口７０６、空気流れモジュール７２０および／または空気取り込み口（図示せず）、ならびに空気衛生化モジュール（図示せず）を備える空気清浄器７００が、図示されている。ハウジング７０２は、種々の実施形態において、ある範囲の回転角度内で回転するように構成される。この回転軸は、空気清浄器７００が取り付けられる電気差込口（図示せず）の実質的に中心を通る。さらに、ハウジング７０２は、曲率半径を有する湾曲した縁部プロフィール７９９（すなわち、Ａ〜Ａ’の曲率）を有する外周７９７を備える。本発明の１つの例示的な実施形態の１つの局面において、湾曲した縁部プロフィール７９９の曲率半径は、約３ｃｍ〜約７ｃｍの範囲である。別の例示的な実施形態において、ハウジング７０２は、空気清浄器７００が取り付けられている電気コンセント７８０の電気差込口７８８を閉塞することなく、約２７０°回転し得るように、構成される（例えば、図７Ｂを参照のこと）。換言すれば、ハウジング７０２は、空気清浄器７００が取り付けられている電気差込口の実質的な中心から、外周７９７上の所定の地点までの距離（ｄ’またはｄ”）が、空気清浄器７００が取り付けられている電気差込口の実質的な中心から、電気差込口７８８の地点（Ｃ）までの距離（ｄ）より小さくなるように構成され得る。
【００３３】
本発明の他の実施形態は、回転式空気衛生化モジュールを利用して空気を清浄化する、低プロフィールの空気清浄器を包含する。これらの実施形態による空気清浄器８００は、図８に図示されるように、回転式空気衛生化モジュール８１０に加えて、上で議論された実施形態と類似のハウジング８０２および１つ以上のプラグ差込口８０６を備える。
【００３４】
１つの例示的な実施形態において、空気衛生化モジュール８１０は、上で議論されたフィルタの実施形態と類似のフィルタを備える。さらに、空気衛生化モジュール８１０は、ハウジング８０２の周囲で回転するように構成される。空気衛生化器８１０が回転すると、空気が、空気衛生化モジュール８１０を通り過ぎるかまたは通過し、そしてあらゆる所望されない粒子および／または微粒子が、空気衛生化モジュール８１０のフィルタ内に捕捉される。
【００３５】
図９Ａ〜図９Ｅを参照すると、本発明の種々の例示的な実施形態による回転可能な空気清浄器１５００が図示されている。空気清浄器１５００は、１つの例示的な実施形態において、上で議論された空気衛生化モジュール、蒸気分配モジュール、および空気流れモジュールのそれぞれの実施形態と類似の、空気衛生化モジュール（図示せず）、蒸気分配モジュール（図示せず）、および空気流れモジュール１５２０を少なくとも部分的に収容するためのハウジング１５０２を備える。さらに、ハウジング１５０２は、適切には、ハウジング１５０２の前表面１５０１に備えられるプラグ差込口１５０６の周りで回転するように構成され、ここで、プラグ差込口１５０６は、上で議論された実施形態のプラグ差込口と類似である。ハウジング１５０２は、本発明の例示的な実施形態によれば、電気コンセント１５８０に対して垂直な軸上で、プラグ差込口１５０６の周りで回転するように構成される。本発明の１つの例示的な実施形態の１つの局面において、ハウジング１５０２は、図９Ａ、図９Ｂ、図９Ｃ、および図９Ｄに図示されるように、プラグ差込口１５０６の周りで３６０°回転するように構成される。
【００３６】
本発明の別の例示的な実施形態において、プラグ差込口１５０６は、ハウジング１５０２が回転する場合に、回転および／または移動しないように構成される。換言すれば、プラグ差込口１５０６は、プラグが従来の直立した様式で挿入され得るように、静止したままであるように構成される。さらに、１つの実施形態において、プラグ差込口１５０６は、空気清浄器１５００の後表面（図示せず）から延びる電気プラグ（図示せず）に接続される。本発明の１つの例示的な実施形態の１つの局面によれば、プラグ差込口１５０６および電気プラグは、これらの周りでハウジング１５０２が回転する間に、適所に保持されるように構成される。図９Ａ〜図９Ｄは、電気コンセント１５８０の上の電気差込口１５８８（図９Ｅ）に示される）に取り付けられた空気清浄器１５００を図示し、そして電気差込口１５８８が空気清浄器１５００によって完全には閉塞されないかまたは実質的に閉塞されない位置を含む。図９Ｅは、空気清浄器１５００が、同様に、電気コンセント１５８０の下の電気差込口１５８９（図９Ａに示される）に取り付けられ得ることを図示し、そして電気差込口１５８９が、空気清浄器１５００によって完全には閉塞されないかまたは実質的に閉塞されない位置を有する。特に、図９Ａ〜図９Ｅに示されるように、空気清浄器１５００は、「上下逆さまに」、「横向きに」、「右側を上に」、および／またはこれらの間のいずれの位置でも、電気コンセント１５８０に取り付けられる場合に、適切に機能し得る。
【００３７】
図１０は、環境内で電気コンセント９８０と一般的にインターフェースする空気清浄器９００のブロック図である。空気清浄器９００は、何らかの様式で（例えば、芳香性蒸気の密度を変更すること、および／または周囲の空気を清浄化することによる）環境を変更するために適切に構成された、任意の適切なデバイス、構成要素、または構成要素の組み合わせを備え得る。別の実施形態によれば、補充部分が、空気清浄器９００の一部として備えられ得、ここで、この補充部分は、実質的に同時に交換されるように構成された、空気濾過要素および／または香気付け要素を備える。特に、空気清浄器は、空気清浄器１００、２００、３００、４００、５００、６００、７００、８００、または１５００のうちのいずれでもよい。
【００３８】
本発明のなお別の実施形態によれば、空気清浄器９００は、空気清浄器以外のものの外観を与えるように構成される。例えば、この空気清浄器は、コンセントパターンを有する電気差込口を模倣するように構成され得る（以下でより詳細に議論される）。この実施形態において、空気清浄器９００は、差込口のコンセントパターンに実質的に対応するコンセントパターンを備える前表面、および電気差込口とインターフェースするように構成されたプラグを備える。
【００３９】
例えば、図１１は、コンセントパターン９８３に対応する１つ以上のプラグ（または他のインターフェース構造体）９７８を介して電気コンセント９８０とインターフェースする、空気清浄器９００を図示する。電気コンセント９８０は、空気清浄器９００に電流を提供するために適切な、任意のデバイス、構成要素、または構成要素の組み合わせであり得る。例えば、電気コンセント９８０は、標準的な壁のコンセント（二重）、パワーストリップ、または四重のものであり得る。
【００４０】
空気清浄器９００は、１つ以上のプラグ差込口９０６を備える前表面９０９（これは、平坦であっても平坦でなくてもよい）を備える。これらのプラグ差込口は、電気コンセント９８０のコンセントパターン９８３に実質的に対応する。さらに、空気清浄器９００は、一般に、差込口コンセント９８０に取り外し可能に取り付けられるように、構成される。
【００４１】
アセンブリ９１２は、上記のように、環境の１つ以上の性質を変更する（例えば、環境中の空気を清浄化し、そして必要に応じて、香気を付ける）ように構成される。この点に関して、アセンブリ９１２は、本明細書中で集合的に、図１Ａ〜図１Ｃに記載された種々の構成要素（例えば、衛生化モジュール１１０、空気モジュール１２０、および／または蒸気分配モジュール１３０）をいうように使用される。
【００４２】
アセンブリ９１２は、適切には、前表面９０９とプラグ差込口９０６との間（および／またはこれらの側面）に介在する。対応するアセンブリ９１２が蒸気分配デバイスを備える実施形態において、このアセンブリはまた、揮発性物質を１つの位置から別の位置へ（例えば、レザバから蒸発パッドもしくはエミネータへ）と輸送するための手段を提供する１つ以上の構成要素（例えば、灯心、毛管など）、ならびに／あるいは輸送された材料が質量移動または周囲環境への蒸発を受ける表面を提供する１つ以上の構成要素（例えば、エミネータパッド、二次灯心などを備え得る。
【００４３】
特に、電気コンセント９８０を、空気清浄器９００によって必要とされる任意の電気機能を提供するための電源として利用することは、有利である。例えば、香気送達デバイスは、１つ以上のエミネータまたは加熱要素を備え得、これらは、揮発性材料が環境に蒸発する速度を制御するように設計される。このような場合において、アセンブリ９１２は、種々の端末、ワイヤ、伝導性トレース、プラグ、ならびに電気コンセント９８０からのインターフェースおよび電力送達を容易にするような他の構成要素を備え得る。特に好ましい実施形態において、例えば、アセンブリ９１２は、抵抗加熱要素を備え、この抵抗加熱要素は、揮発性材料と連絡するエミネータパッドまたは灯心と熱的に結合される。
【００４４】
空気清浄器９００は、断面がほぼ矩形であるように図示されるが、実際には、任意の形状を有する多数の目立たないかまたは一体化されたハウジングを備え得る。さらに、この実施形態によれば、空気清浄器９００が必ずしも、電気コンセント９８０、または電気コンセント９８０と組み合わせて提供される任意の板の大きさまたは形状と類似の幾何学的形状を示す必要はない。すなわち、図１２に示されるように、空気清浄器９００は、実際に、電気コンセント９８０より小さいかもしれない（例えば、およそプラグ差込口９０６の大きさ）。同様に、図１３に示されるように、空気清浄器９００は、電気コンセント９８０、および／または電気コンセント９８０に提供される任意のプラグ差込口９０６に対して非対称的であるかもしれない。図１３に示されるように、例えば、前面９０９の下側の境界は、電気コンセント９８０より下（または上）に延びるかもしれない。
【００４５】
図１４は、電気コンセント９８０についての一般的な構成を示す。この電気コンセントは、外側境界および／または板の外周９８３を、１つ以上のコンセント９８８とともに備える。コンセント９８３は、任意の適切な形状を示し得、そしてオス接続、メス接続、または他の接続型の任意の適切な組み合わせを備え得る。例えば、ここで図１５を参照すると、電気コンセント９８０は、従来の二重コンセントの電力差込口からなり得、これは、１対の２プロングコンセント９８８および板の外周９８３を備える。同様に、図１６に示されるように、電気コンセント９８０は、従来の四重コンセント電力差込口からなり得、これは、４つの２プロングコンセント９８８および板の外周９８３を備える。図１７は、本発明が使用され得るさらなる標準的な差込口設計の行列を提供する。本発明は、接地故障断流（ＧＦＩ）電気コンセントと組み合わせて使用され得ることにもまた留意のこと。
【００４６】
本発明は、電気差込口に限定されないことが、理解される。実際に、電気コンセント９８０は、電気、データ、または他の任意の電源および／もしくは情報源を、適切なインターフェースを介して空気清浄器９００に提供するように構成された、任意の適切な構造体を備え得る。例えば、適切な差込口としては、高速データ移動（およびアナログ電話通信）と組み合わせて使用されるＲＪ−１１ジャックおよびＲＪ−４５ジャック、電気ケーブルネットワークおよび光ケーブルネットワークと組み合わせて使用される同軸コネクタ、ならびに現在公知であるかまたは将来開発される他の任意のレセプタクル設計が挙げられる。
【００４７】
蒸気分配デバイス以外のものであるように見えるという目的を達成するために、空気清浄器９００は、電気差込口のみでなく、目標環境内で代表的に見られ得る多数の他の物体を模倣するように設計され得る。例えば、蒸気分配デバイスは、壁のスイッチ、マルチコンセントのパワーストリップ、終夜灯、または他の任意の適切な物体を模倣するように構成され得る。
【００４８】
上述のように、環境を変更するデバイスの目立たなさはまた、このデバイスを、その環境と調和するように構成することによって、達成され得る。この調和は、例えば、ハウジングに直交してハウジングの外周を通る断面が、壁の前表面から電気差込口の外周の外側の壁までの輪郭に調和する輪郭を規定するように構成されたハウジングを備えることによって、達成され得る。
【００４９】
図１８を参照すると、例えば、電気コンセント９８０は、板の外周９８３を備え、この板の外周は、図示されるように矩形であっても矩形でなくてもよい。板の外周９８３は、一般に、壁１０００にフィットするか、または壁と同一面になる。ハウジング９８５は、示されるような断面「Ａ」によって特徴付けられる外周９９０（これは必ずしも矩形である必要はなく、そして必ずしも、板の外周９８３の形状に対応する必要はない）を有し、ここで、この断面は、壁１０００に対する調和輪郭を規定し、従って、さらなる目立たなさを提供する。
【００５０】
より具体的には、図１９に図示される６つの例示の断面と組み合わせて図１８を参照すると、ハウジング９８５の外周９９０の近くの断面１１００は、前面１００２と壁１０００との間に調和輪郭を形成する。一般に、調和輪郭１０００は、ハウジング９８５の前面１００２から壁１０００の近くまたは壁１０００に接触する末端１００４まで延びる連続的な（しかし必ずしも滑らかであったり区別可能であったりする必要はない）湾曲を形成する。図１９に示される例示の形状は、本発明に従って使用され得る調和輪郭形状の範囲を言及しつくしているわけではないことが、理解される。
【００５１】
本発明のさらなる局面によれば、空気清浄器９００は、ハウジング９８５の少なくとも２つの対蹠点を備えることによって、その環境と調和する。これらの対蹠点は、空気清浄器９００が電気コンセント９８０に接続される場合に、板の外周９８３の、ハウジング外周１１０２の外側で壁１０００に接触する。
【００５２】
図２２を参照すると、ハウジングの外周１１０２は、ハウジングの外周１１０２の反対側の少なくとも２つの点が、板の外周９８３の外側で壁１０００に接触するように、構成される。例えば、ハウジングの外周１１０２は、以下の２つの点のうちの１つ以上で、壁１０００に接触し得る：点１３０２および１３０４；点１３０６および１３０８；ならびに点１３１０および１３１２。用語「点」とは、位置の意味で使用され、そして必ずしも、小さい円形の接触点に対応するとは限らない。実際に、この実施形態に関してこの用語が使用される場合、任意の接触領域（または近くに位置する領域）が、「点」とみなされ得る。
【００５３】
本発明のさらなる局面によれば、空気清浄器は、低プロフィールの寸法を有する。より具体的には、ここで図２３を参照すると、空気清浄器２０００は、ハウジング２００２を備え、このハウジングは、前表面２００９および後表面２０１４を有し、これらの表面は、厚さｔだけ離れている。ここで、後表面２０１４は、短軸寸法ｘおよび主軸寸法ｙを有する。第一のデバイスコンセント２０１６および第二のデバイスコンセント２０１９が、ハウジング２００２の前表面２００９に提供される。デバイスコンセント２０１６および２０１９は、コンセント間距離ｄだけ離れており、ここで、ｘ／ｄは、約２．０と２．５との間であり、好ましくは、約２．１２５であり、ｙ／ｄは、約３．０と３．５との間であり、好ましくは、約３．２５であり、そしてｔ／ｄは、約０．５と１．０との間であり、好ましくは、約０．６２５である。本発明のなおさらなる局面によれば、厚さｔは、主軸寸法ｙの約２０％より小さい。
【００５４】
環境と調和する目的を達成するために、このデバイスの多数の他の性質が、環境の１つ以上の性質と一致するかまたは熱的に一致するように、設計され得る。例えば、空気清浄器２０００の色、テクスチャーおよび／または幾何学的形状は、壁、家具、および／または環境の他の構成要素とよりよく調和するように、選択され得る。
【００５５】
空気清浄器２０００の目立たなさはまた、このデバイスを、電気差込口の全てまたは一部を覆うように構成することによって、達成され得る。本発明の１つの局面によれば、例えば、空気清浄器２０００は、蒸気分配デバイスが電気差込口に接続される場合に電気差込口の板の外周を実質的に囲む外周を有するハウジングを備えることによって、差込口を実質的に覆う。
【００５６】
より具体的には、図２０に示される４つの例示的な構成を参照すると、板の外周９８３（あるいは、差込口の外周）は、ハウジングの外周１１０２によって実質的に囲まれる。すなわち、ハウジングの外周１１０２は、板の外周９８３を完全に囲み得、その結果、板の外周９８３の全ての点が、ハウジングの外周１１０２によって規定される領域内に入る（図２０Ａおよび図２０Ｄに示されるように）か、または板の外周９８３の一部が、ハウジングの外周１１０２の境界（または実際には、わずかに外側）にある（図２０Ｂおよび図２０Ｃに示されるように）。図２０に示される、図示される板およびハウジングは、ほぼ矩形であり、そして互いにほぼ対応するが、これらの板およびハウジングは、任意の種々の形状を有し得、そしてそれらの形状は、必ずしも、互いにほぼ対応する必要はない。例えば、板の外周９８３は、矩形であり得、一方で、ハウジングの外形１１０２は、円形または楕円形であり得る。本発明のさらなる局面によれば、蒸気分配デバイスは、アスペクト比が差込口の板のアスペクト比と実質的に類似であり、そして中心が板の中心と実質的に一致する、ハウジングを備える。
【００５７】
図２１を参照すると、板の外周９８３は、中心（または重心）１２０２ならびに高さ寸法ｈおよび長さ寸法ｌによって、特徴付けられる。同様に、ハウジングの外周１１０２は、中心（または重心）１２０４ならびに高さ寸法Ｈおよび長さ寸法Ｌによって、特徴付けられる。板の外周９８３は、Ｈ／Ｌによって規定されるアスペクト比を有し、そしてハウジングの外周１１０２は、ｈ／ｌと定義されるアスペクト比を有する。本発明の１つの局面によれば、中心１２０２は、中心１２０４と実質的に一致する。本発明のさらなる局面によれば、板の外周９８３のアスペクト比は、ハウジングの外周１１０２のアスペクト比と実質的に等しい。１つの実施形態において、例えば、板のアスペクト比は、標準的な二重コンセントの板のアスペクト比（例えば、約１．３と１．７との間であり、好ましくは、約１．５）に実質的に等しい。このアスペクト比は、差込口の板およびハウジングの形状に依存して、任意の好都合な様式で定義され得ることが、理解される。
【００５８】
本発明は、本明細書中で、添付の図面と組み合わせて記載されたが、当業者は、本発明の範囲が、そのように限定されないことを理解する。本明細書中で議論される種々の構成要素および工程の選択、設計および配置における変更が、本発明の範囲から逸脱することなくなされ得る。
【図面の簡単な説明】
【００５９】
【図１】図１Ａ〜図１Ｃは、本発明の種々の実施形態の概略ブロック図である。
【図２】図２は、本発明の１つの実施形態による空気清浄器である。
【図３】図３は、図２に示される空気清浄器の代替の図である。
【図４】図４は、本発明の代替の実施形態による空気清浄器である。
【図５】図５は、図４に示される空気清浄器の代替の図である。
【図６】図６は、本発明の代替の実施形態による空気清浄器の図である。
【図７】図７Ａおよび図７Ｂは、  電気コンセントの前表面に対して垂直な軸の周りを回転し得る、空気清浄器の１つの実施形態の図である。
【図８】図８は、回転式空気衛生化モジュールを備える、空気清浄器の実施形態の図である。
【図９】図９Ａ〜図９Ｅは、回転式ハウジングを備える、空気清浄器の１つの実施形態の図である。
【図１０】図１０は、本発明が実施され得る概念を提供するシステムの概略図である。
【図１１】図１１は、本発明の１つの実施形態による、蒸気分配デバイスおよび差込口の側面図である。
【図１２】図１２は、本発明の別の実施形態による、蒸気分配デバイスおよび差込口の側面図である。
【図１３】図１３は、本発明のなお別の実施形態による、蒸気分配デバイスおよび差込口の側面図である。
【図１４】図１４は、複数のコンセントを有する例示的な差込口の正面図である。
【図１５】図１５は、従来の二重コンセントの差込口の図である。
【図１６】図１６は、従来の四重コンセントの差込口の図である。
【図１７】図１７は、種々の例示的な差込口およびコンセントの構成を図示する図である。
【図１８】図１８は、例示的な蒸気分配デバイスの図である。
【図１９】図１９は、調和輪郭を規定する種々の断面図を示す。
【図２０】図２０Ａ〜図２０Ｄは、差込口に対する蒸気分配デバイスの幾何学的形状の種々の構成の図である。
【図２１】図２１は、例示的な蒸気分配デバイスの幾何学的形状の図である。
【図２２】図２２は、例示的な蒸気分配デバイスの対称性の図である。
【図２３】図２３は、例示的な蒸気分配デバイスの幾何学的形状の等角図を示す図である。
【図１】
2008509797.tif 000003
【図２】
2008509797.tif 000004
【図３】
2008509797.tif 000005
【図４】
2008509797.tif 000006
【図５】
2008509797.tif 000007
【図６】
2008509797.tif 000008
【図７Ａ】
2008509797.tif 000009
【図７Ｂ】
2008509797.tif 000010
【図８】
2008509797.tif 000011
【図９Ａ】
2008509797.tif 000012
【図９Ｂ】
2008509797.tif 000013
【図９Ｃ】
2008509797.tif 000014
【図９Ｄ】
2008509797.tif 000015
【図９Ｅ】
2008509797.tif 000016
【図１０】
2008509797.tif 000017
【図１１】
2008509797.tif 000018
【図１２】
2008509797.tif 000019
【図１３】
2008509797.tif 000020
【図１４】
2008509797.tif 000021
【図１５】
2008509797.tif 000022
【図１６】
2008509797.tif 000023
【図１７】
2008509797.tif 000024
【図１８】
2008509797.tif 000025
【図１９】
2008509797.tif 000026
【図２０Ａ】
2008509797.tif 000027
【図２０Ｂ】
2008509797.tif 000028
【図２０Ｃ】
2008509797.tif 000029
【図２０Ｄ】
2008509797.tif 000030
【図２１】
2008509797.tif 000031
【図２２】
2008509797.tif 000032
【図２３】
2008509797.tif 000033
【国際調査報告】
2008509797.tif 000034
2008509797.tif 000035